(57)【要約】【課題】不正な剥ぎ取りを防止でき、耐水性や耐久性に優れる等の多くの作用効果を発揮するコンクリート供試体の記録票を提供する。【解決手段】コンクリートの供試体１０に型枠９内で固着する記録票であって、樹脂製透明フィルム１の表面Ｆに、当該透明フィルム１を前記型枠９の内周面に離脱可能に貼付けるための粘着剤２を塗布すると共に、前記透明フィルム１の裏面Ｂの少なくとも一部に、その透明フィルム１を供試体１０に固着させるための不織布３を取付けてなる。【選択図】      図１
2004251847.tif 000002
【特許請求の範囲】
【請求項１】
コンクリートの供試体に型枠内で固着する記録票であって、
樹脂製透明フィルムの表面に、該透明フィルムを前記型枠の内周面に離脱可能に貼付けるための粘着剤を塗布すると共に、前記透明フィルムの裏面の少なくとも一部に、該透明フィルムを供試体に固着させるための不織布を取付けてなることを特徴とするコンクリート供試体記録票。
【請求項２】
前記透明フィルムの裏面に、少なくとも顔料と水溶性樹脂からなる塗料によって印章を押印してなることを特徴とする請求項１に記載のコンクリート供試体記録票。
【請求項３】
前記透明フィルムを、その略中間高さ部分に切取線を設けて上部の位置合わせ部と下部の固着部とに区分けし、
前記不織布を、前記固着部の裏面の両側端部に取付け、前記印章を、前記固着部の裏面の上端部で、前記不織布が存在しない箇所に押印してなることを特徴とする請求項１または２に記載のコンクリート供試体記録票。
【請求項４】
前記透明フィルムを、表面を上にして複数枚重ね、各透明フィルムの固着部の下にカーボン印刷紙を敷き、最上位の透明フィルムの固着部の上に記載紙を重ね、それらを綴じ合わせて小冊子状としてなることを特徴とする請求項１乃至３のいずれかに記載のコンクリート供試体記録票。
【請求項５】
請求項４に記載のコンクリート供試体記録票を使用する方法であって、
前記記載紙に必要事項を記載して、該記載事項を、前記カーボン印刷紙によって各透明フィルムの裏面に複写し、
前記小冊子状態をばらした後、各透明フィルムを、その位置合わせ部の上端を型枠の内周面上端に合わせて位置決めし、
前記固着部を、その表面の粘着剤によって前記型枠の内周面に離脱可能に貼付けた後、切取線で切り取って位置合わせ部を除去し、
型枠内に流体状コンクリートを流し込むことを特徴とするコンクリート供試体記録票の使用方法。
【発明の詳細な説明】
【０００１】
【発明の属する技術分野】
本発明は、コンクリート（モルタルを含む）の圧縮強度試験用の供試体に、その供試体の採取情報（立会者の署名も含む）を記すための記録票およびその使用方法に関するものである。
【０００２】
【従来の技術】
従来、コンクリートの圧縮強度試験用の供試体を成形する際、後日行う圧縮試験時の供試体と同一であることを証明するために、あるいは、供試体の取り違えを防止するために、当該供試体の外周面にその供試体の採取情報を記載した記録紙を貼付けている。
【０００３】
この従来の記録紙は、供試体を成形する型枠の内周面に、採取情報を書き込んだ印刷紙片等をグリス等で貼り付けるものであり、型枠内に流し込んだ流体状のコンクリートが硬化することによって当該コンクリートに転移するようにしている。
【０００４】
なお、転写に関する一般的な技術は、従来から様々なものが存在する（例えば、特許文献１参照）。
【０００５】
【特許文献１】
特開２０００−５６６８７号公報
【０００６】
【発明が解決しようとする課題】
しかしながら、この従来の記録紙には次のような多くの問題がある。
（１）記録紙を供試体から剥ぎ取ることが可能である。この剥ぎ取りは、供試体が硬化後においても可能であるが、未硬化状態においてはさらに容易に剥ぎ取ることができる。従って、供試体を、別のコンクリートで作り替える等の不正を可能とするため、好ましくない。
（２）記録紙は印刷紙等の紙であるため耐水性や耐久性に欠ける。これに代えて、耐水性や耐久性に優れる樹脂フィルムの使用が望まれるが、樹脂フィルムは供試体に固着しないので、これまで使用できなかった。
【０００７】
（３）記録紙は紙であり不透明なので、コンクリート充填時に記録紙の採取情報を確認できず、型枠を正確に選択することが困難である（記録紙の採取情報を記載した表面は型枠の内周面に接しているので、採取情報を裏面から読みとることができない）。
（４）記録紙は不透明であるため、それによって供試体の一部分が隠され、その部分におけるコンクリート充填状況を目視で確認することができない。
（５）記録紙の表面に採取情報が記載され、供試体に転移後もその表面は露出しているので、記載内容が汚損し易い。
【０００８】
（６）通常、供試体は一試験に３本使用するため、一回の採取で９〜１２本程度作成する必要があり、よって、その本数分だけの記載が必要となり、作業が面倒である。
（７）記録紙の転移位置が供試体によって異なるため、写真撮影が行い難く、見栄えも悪い。
（８）採取情報が採取現場で記載される場合、その内容の控えを残すことが難しい。
【０００９】
そこで、本発明の目的とするところは、こうした問題を解決することのできるコンクリート供試体の記録票を提供することにある。また、本発明の目的とするところは、その記録票の使用方法を提供することにある。
【００１０】
【課題を解決するための手段】
上記の目的を達成するために、本発明の請求項１に記載のコンクリート供試体記録票は、コンクリートの供試体（１０）に型枠（９）内で固着する記録票であって、樹脂製透明フィルム（１）の表面（Ｆ）に、当該透明フィルム（１）を前記型枠（９）の内周面に離脱可能に貼付けるための粘着剤（２）を塗布すると共に、前記透明フィルム（１）の裏面（Ｂ）の少なくとも一部に、当該透明フィルム（１）を供試体（１０）に固着させるための不織布（３）を取付けてなることを特徴とする。
なお、本発明において、コンクリートの供試体（１０）には、モルタルの供試体を含む。また、透明フィルム（１）は、半透明フィルムも含む。
【００１１】
また、請求項２に記載のコンクリート供試体記録票は、前記透明フィルム（１）の裏面（Ｂ）に、少なくとも顔料と水溶性樹脂からなる塗料によって印章（４）を押印してなることを特徴とする。
【００１２】
さらに、請求項３に記載のコンクリート供試体記録票は、前記透明フィルム（１）を、その略中間高さ部分に切取線（Ｌ）を設けて上部の位置合わせ部（１ｂ）と下部の固着部（１ａ）とに区分けし、前記不織布（３）を、前記固着部（１ａ）の裏面（Ｂ）の両側端部に取付け、前記印章（４）を、前記固着部（１ａ）の裏面（Ｂ）の上端部で、前記不織布（３）が存在しない箇所に押印してなることを特徴とする。
【００１３】
またさらに、請求項４に記載のコンクリート供試体記録票は、前記透明フィルム（１）を、表面（Ｆ）を上にして複数枚重ね、各透明フィルム（１）の固着部（１ａ）の下にカーボン印刷紙（６）を敷き、最上位の透明フィルム（１）の固着部（１ａ）の上に記載紙（７）を重ね、それらを綴じ合わせて小冊子状としてなることを特徴とする。
【００１４】
請求項５に記載のコンクリート供試体記録票の使用方法は、請求項４に記載のコンクリート供試体記録票を使用する方法であって、前記記載紙（７）に必要事項を記載して、当該記載事項を、前記カーボン印刷紙（６）によって各透明フィルム（１）の裏面（Ｂ）に複写し、前記小冊子状態をばらした後、各透明フィルム（１）を、その位置合わせ部（１ｂ）の上端を前記型枠（９）の内周面上端に合わせて位置決めし、固着部（１ａ）を、その表面（Ｆ）の粘着剤（２）によって型枠（９）の内周面に離脱可能に貼付けた後、切取線（Ｌ）で切り取って位置合わせ部（１ｂ）を除去し、型枠（９）内に流体状コンクリートを流し込むことを特徴とする。
【００１５】
なお、カッコ内の記号は、図面および後述する発明の実施の形態に記載された対応要素または対応事項を示す。
【００１６】
本発明の請求項１に記載のコンクリート供試体記録票によれば、樹脂製透明フィルムの表面に粘着剤を塗布しているので、その表面を型枠の内周面に離脱自在に貼付けることができる。
また、透明フィルムの裏面の少なくとも一部に不織布を取付けているので、当該透明フィルムを供試体に強固に固着することができる。さらに、コンクリート硬化後に記録票を剥ぎ取ると、不織布が剥離し、また、コンクリート未硬化状態では不織布がモルタルによって目詰まりするので、新たにコンクリートを打ち替えても、供試体に固着させることが難しい。
これにより、供試体を別のコンクリートで作り替えることが困難となる。
【００１７】
また、樹脂製の透明フィルムを記録票として供試体に固着するので、それまでの紙と異なり、耐水性や耐久性に優れる。
さらに、記録票として供試体に固着する透明フィルムは透明（または半透明）であるので、コンクリート充填時に、型枠に貼った当該当該透明フィルムに記載の採取情報を容易に確認することができ、型枠を正確に選択することが可能となる。また、透明であるため、それによって供試体の一部分が隠されることがなく、その部分におけるコンクリート充填状況を目視で確認することができる。
【００１８】
また、請求項２に記載の発明によれば、請求項１に記載の発明の作用効果に加えて、透明フィルムの裏面に、少なくとも顔料と水溶性樹脂からなる塗料によって印章を押印したので、記録票（透明フィルム）の剥ぎ取りといった不正をより未然に防止することができる。
【００１９】
すなわち、型枠に流し込んだコンクリートの外周面に、透明フィルムの裏面に押印した印章が転写され、独特な転写模様が一度に限って形成されるため、一旦、透明フィルムを無理に剥がし、別のコンクリート供試体を作り替えても、転写模様は形成されず不自然となる。
従って、コンクリートを型枠に流し込んだ直後より不正な剥ぎ取りが行われたことを容易に察知することができる。
【００２０】
なお、印章を形成する塗料を、顔料と水溶性樹脂を混合したものとしているので、いわゆるブリーディングによってコンクリートの外周面に水が侵出し、その水によって塗料が溶け、膨大化して複雑な形状の転写模様を印章が判別できる状態で形成する。
従って、この印章または転写模様を模倣することが困難であり、これによっても不正をより未然に防止することができる。
【００２１】
さらに、請求項３に記載の発明によれば、請求項１または２に記載の発明の作用効果に加えて、透明フィルムを、その略中間高さ部分に切取線を設けて上部の位置合わせ部と下部の固着部とに区分けしているので、当該透明フィルムを型枠に貼付ける際に、例えば、位置合わせ部の上端を型枠内周面の上端に合わせた状態で、固着部を型枠に貼付け、その後、位置合わせ部を除去することによって、当該透明フィルムを、全ての供試体に対して所定の位置に固着させることができる。
これにより、写真撮影も容易で、見栄えも向上する。
【００２２】
なお、不織布を、固着部の裏面の両側端部に取付けたので、供試体に安定姿勢で強固に固着することができる。
また、印章を、固着部の裏面の上端部（不織布が存在しない箇所）に押印したので、ブリーディングによって膨大化した独特な転写模様が固着部と供試体との間に跨って形成され、割印のようなはたらきを行う。従って、一旦、固着部を剥がしてしまうと、それが明確に察知され、不正をより未然に防止することが可能となる。
【００２３】
またさらに、請求項４に記載の発明によれば、請求項１乃至３に記載の発明の作用効果に加えて、透明フィルムを、その表面を上にして複数枚重ね、各透明フィルムの固着部の下にカーボン印刷紙を敷き、最上位の透明フィルムの固着部の上に記載紙を重ね、それらを綴じ合わせて小冊子状としたので、以下の作用効果を発揮する。
【００２４】
すなわち、固着部の下にカーボン印刷紙を敷いたことにより、記載した採取情報が固着部の裏面に複写される。この裏面は供試体の外周面に接するので露出せず、よって、記載内容が汚損しない。
【００２５】
また、複数枚の透明フィルムを、カーボン印刷紙を介して綴じ合わせて小冊子状にしたので、一回の記載で複数の透明フィルム（固着部）に採取情報を記載することができる。従って、記載作業が容易となる。
【００２６】
そして、最上位の透明フィルムの固着部の上に記載紙を重ねたので、その記載紙を控えとして残すことができる。従って、採取情報を採取現場で記載する場合でも、その内容の控えを簡単に残すことができる。
【００２７】
また、請求項５に記載の発明の作用効果によれば、請求項４に記載のコンクリート供試体記録票を、正確かつ容易に、型枠の内周面に貼付けることができる。
【００２８】
【発明の実施の形態】
図１乃至図３を参照して、本発明の実施形態に係るコンクリート供試体記録票について説明する。図１は、本発明の実施形態に係るコンクリート供試体記録票を示す正面斜視図である。図２は、図１に示す記録票の分解斜視図である。図３は、図１に示す記録票の半透明フィルムを示すもので、（ａ）はその表面図、（ｂ）は裏面図である。
【００２９】
本発明の実施形態に係るコンクリート供試体記録票は、コンクリートの圧縮試験用の供試体１０に、その供試体１０の採取情報を記すために、当該供試体１０の外周面に型枠９内で固着するものである。
【００３０】
この記録票は、合成樹脂製の半透明フィルム１を、その表面Ｆを上にして３枚重ね、各半透明フィルム１の固着部１ａの下にカーボン印刷紙６を敷き、最上位の半透明フィルム１の固着部１ａの上に記載紙７を重ね、さらに、最下位のカーボン印刷紙６の下に台紙８を設け、それらの上端部を接着剤で綴じ合わせて小冊子状としたものである。なお、カーボン印刷紙６と記載紙７の粘着剤と接する部分には剥離加工が施されている。
【００３１】
各半透明フィルム１は、その中間高さ部分に切取線Ｌを設けて、上部の位置合わせ部１ｂと下部の固着部１ａとに区分けしている。固着部１ａの表面Ｆには、型枠９の内周面に離脱可能に貼り付けるための粘着剤２を塗布している。また、固着部１ａの裏面Ｂには、その左右両側端部に不織布３を取付けると共に、中央上端部に、顔料と水溶性樹脂を主成分とする塗料を使用して印章４を押印している（ここでは、「印」という文字で表現した。）。
【００３２】
このコンクリート供試体記録票は、次のようにして使用することができる。
まず、記載紙７に採取情報等の必要事項を記載して、当該記載事項を、カーボン印刷紙６によって各半透明フィルム１固着部１ａの裏面Ｂに複写する。
【００３３】
次に、小冊子状態をばらした後、各半透明フィルム１を、その位置合わせ部１ｂの上端を型枠９の内周面上端に合わせて位置決めを行い、この状態で、固着部１ａを型枠９の内周面に貼付ける。この固着部１ａの表面Ｆには、あらかじめ粘着剤２を塗布しているので、型枠９に容易に貼り付く。
貼付け完了後、半透明フィルム１を、その切取線Ｌに沿って切り、位置合わせ部１ｂを取り除く。これにより、採取情報を記載した固着部１ａのみを型枠９の内周面に残存させる（図４、図５参照）。
【００３４】
この状態で、型枠９内に流体状コンクリート１０ａを流し込むと、固着部１ａが、当該コンクリート（供試体１０）の外周面に固着すると同時に型枠９から離脱する。
このとき、固着部１ａの裏面Ｂには不織布３が取り付けられているので、その不織布３の固着力によって供試体１０に強固に固着する。
【００３５】
また、固着部１ａ裏面Ｂの中央上端部に、顔料と水溶性樹脂を主成分とする塗料を使用して印章４を押印しているので、コンクリートのブリーディングにより、供試体１０の外周面に膨大化した複雑形状の転写模様５が、割印のような状態で形成される（図６参照）。
従って、固着部１ａの剥ぎ取りを不正に行った場合、それを容易に察知することができる。
【００３６】
なお、位置合わせ部１ｂのはたらきによって固着部１ａの上端は、供試体１０の上端より下位に位置するので、転写模様５は常に上方コンクリート部分に形成される。
【００３７】
この実施形態に係る記録票は、樹脂製の半透明フィルム１で固着部１ａを構成し、それを供試体１０に固着するので、耐水性や耐久性に優れる。また、固着部１ａは半透明であるので、コンクリート充填時に、型枠９に貼った固着部１ａに記載の採取情報を、目視で容易に確認することができる。従って、型枠９を正確に選択することが可能となる。また、半透明であるため、それによって供試体１０の一部分が隠蔽されることがなく、その部分におけるコンクリート充填状況を目視で確認することができる。
【００３８】
また、半透明フィルム１を、その中間高さ部分に切取線Ｌを設けて上部の位置合わせ部１ｂと下部の固着部１ａとに区分けし、位置合わせ部１ｂの上端を型枠９内周面の上端に合わせた状態で、固着部１ａを型枠９に貼付けるので、当該固着部１ａを、全ての供試体１０の所定位置に正確に固着させることができる。
これにより、写真撮影も容易で、見栄えも向上する。
【００３９】
さらに、この記録票は、半透明フィルム１を、その表面Ｆを上にして３枚重ね、各半透明フィルム１の固着部１ａの下にカーボン印刷紙６を敷き、最上位の固着部１ａの上に記載紙７を重ね、さらにまた、台紙８を加え、それらを綴じ合わせて小冊子状としたので、記載した採取情報を固着部１ａの裏面Ｂに複写することができる。この裏面Ｂは供試体１０の外周面に接し、露出しないので記載内容が汚損しない。また、一回の記載で複数の固着部１ａに採取情報を記載することができ、記載作業が容易となる。さらに、最上位の記載紙７を控えとして残すことができる。
【００４０】
【発明の効果】
以上のとおり、本発明の請求項１に記載のコンクリート供試体記録票によれば、樹脂製透明フィルムの表面に粘着剤を塗布したので、その表面を型枠の内周面に離脱自在に貼付けることができる。また、透明フィルムの裏面の少なくとも一部に不織布を取付けたので、当該透明フィルムを供試体に強固に固着することができる。さらに、コンクリート硬化後に記録票を剥ぎ取ると、不織布が剥離し、また、コンクリート未硬化状態では不織布がモルタルによって目詰まりするので、新たにコンクリートを打ち替えても、供試体に固着させることが難しい。これにより、記録票を供試体から剥ぎ取ること、また別のコンクリートで供試体を作り替えることが困難となり、不正を未然に防止することができる。
【００４１】
また、樹脂製の透明フィルムを記録票として供試体に固着するので、それまでの紙と異なり耐水性や耐久性に優れる。従って、実用性を高めることができる。
さらに、記録票として供試体に固着する透明フィルムは透明（または半透明）であるので、コンクリート充填時に、型枠に貼った当該当該透明フィルムに記載の採取情報を容易に確認することができ、型枠を正確に選択することが可能となる。また、透明であるため、それによって供試体の一部分が隠されることがなく、その部分におけるコンクリート充填状況を目視で確認することができる。
【００４２】
また、請求項２に記載の発明によれば、請求項１に記載の発明の作用効果に加えて、透明フィルムの裏面に、少なくとも顔料と水溶性樹脂からなる塗料によって印章を押印したので、コンクリートを型枠に流し込んだ直後より記録票（透明フィルム）の剥ぎ取りといった不正をより未然に防止することができる。
【００４３】
なお、印章を形成する塗料を、顔料と水溶性樹脂を混合したものとしているので、いわゆるブリーディングによってコンクリートの外周面に水が侵出し、その水によって塗料が溶け、膨大化して複雑な形状の転写模様を印章が判別できる状態で形成する。従って、この印章または転写模様を模倣することが困難であり、これによっても不正をより未然に防止することができる。
【００４４】
さらに、請求項３に記載の発明によれば、請求項１または２に記載の発明の作用効果に加えて、透明フィルムを、その略中間高さ部分に切取線を設けて上部の位置合わせ部と下部の固着部とに区分けしているので、当該透明フィルムを型枠に貼付ける際に、例えば、位置合わせ部の上端を型枠内周面の上端に合わせた状態で、固着部を型枠に貼付け、その後、位置合わせ部を除去することによって、当該透明フィルムを、全ての供試体に対して所定の位置に固着させることができる。これにより、写真撮影も容易で、見栄えも向上する。
【００４５】
なお、不織布を、固着部の裏面の両側端部に取付けたので、供試体に安定姿勢で強固に固着することができる。
また、印章を、固着部の裏面の上端部（不織布が存在しない箇所）に押印したので、ブリーディングによって膨大化した転写模様が固着部と供試体との間に跨って形成され、割印のはたらきを行う。従って、一旦、固着部を剥がしてしまうと、それが明確に察知され、不正をより未然に防止することが可能となる。
【００４６】
またさらに、請求項４に記載の発明によれば、請求項１乃至３に記載の発明の作用効果に加えて、透明フィルムを、その表面を上にして複数枚重ね、各透明フィルムの固着部の下にカーボン印刷紙を敷き、最上位の透明フィルムの固着部の上に記載紙を重ね、それらを綴じ合わせて小冊子状としたので、記載した採取情報が固着部の裏面に複写される。この裏面は供試体の外周面に接するので露出せず、よって、記載内容が汚損しない。また、複数枚の透明フィルムを、カーボン印刷紙を介して綴じ合わせて小冊子状にしたので、一回の記載で複数の透明フィルム（固着部）に採取情報を記載することができる。従って、記載作業が容易となる。さらに、最上位の透明フィルムの固着部の上に記載紙を重ねたので、その記載紙を控えとして残すことができる。従って、採取情報を採取現場で記載する場合でも、その内容の控えを容易に残すことができる。
【００４７】
また、請求項５に記載の発明の作用効果によれば、請求項４に記載のコンクリート供試体記録票を、正確かつ容易に、型枠の内周面に貼付けることができる。
【図面の簡単な説明】
【図１】本発明の実施形態に係るコンクリート供試体記録票を示す正面斜視図である。
【図２】図１に示す、記録票の分解斜視図である。
【図３】図１に示す、記録票の半透明フィルムを示すもので、（ａ）はその表面図、（ｂ）は裏面図である。
【図４】図３に示す、半透明フィルムを型枠に貼付ける状態を示す部分拡大側面図である。
【図５】図３に示す、半透明フィルム（固着部）を型枠に貼り付けた状態を示す斜視図である。
【図６】図３に示す、半透明フィルム（固着部）が供試体に固着された状態を示す斜視図である。
【符号の説明】
１      透明（半透明）フィルム
１ａ    固着部
１ｂ    位置合わせ部
２      粘着剤
３      不織布
４      印章
５      転写模様
６      カーボン印刷紙
７      記載紙
８      台紙
９      型枠
１０      供試体（コンクリート）
１０ａ    流体状コンクリート
Ｂ      裏面
Ｆ      表面
Ｌ      切取線
【図１】
2004251847.tif 000003
【図２】
2004251847.tif 000004
【図３】
2004251847.tif 000005
【図４】
2004251847.tif 000006
【図５】
2004251847.tif 000007
【図６】
2004251847.tif 000008